(57)【要約】【課題】水面に浮遊させて遊ぶ玩具において、アクション性が大きく、玩具として興趣が高まる水上玩具を提供する。【解決手段】水面に浮遊させる水上玩具１において、駆動源（モーター３１）をケース３４に収容する。ケース３４の孔部３４１より、前記駆動源の動力を伝達する回転軸３３を突出させる。中空体２が、前記回転軸３３を介して回転され、且つ、前記ケース３４を収容する。支持軸３５が、前記ケース３４から延設され、中空体２の孔部２１より突出すると共に、前記回転軸３３の同一線上に位置される。保持部４が、前記支持軸３５より上方及び下方に延設される。形象物６を前記保持部４の上方端部に設ける。錘部５を前記保持部４の下方端部に設ける。【選択図】  図１
2004230002.tif 000002
【特許請求の範囲】
【請求項１】
水面に浮遊させる水上玩具であって、駆動源と、該駆動源を収容するケースと、該ケースの孔部より突出すると共に、前記駆動源の動力を伝達する回転軸と、該回転軸を介して回転され、前記ケースを収容する中空体と、該中空体の孔部より突出すると共に、前記回転軸の同一線上に位置するように前記ケースから延設される支持軸と、該支持軸より上方及び下方に延設される保持部と、該保持部の上方端部に設けた形象物と、該保持部の下方端部に設けた錘部とからなることを特徴とする水上玩具。
【請求項２】
前記形象物が、前記中空体の回転に伴い可動する可動部を有することを特徴とする請求項１記載の水上玩具。
【請求項３】
前記駆動源がモーターであり、該モーターと通電可能に接続されるバッテリーが前記錘部に内蔵されることを特徴とする請求項１又は２に記載の水上玩具。
【発明の詳細な説明】
【０００１】
【発明の属する技術分野】
本発明は、玩具に関する。更に詳細には、水面に浮遊させて遊ぶ水上玩具に関する。
【０００２】
【従来の技術】
従来より、水面に浮遊させて遊ぶ水上玩具としては、中空体の内部に形象物を備えた玩具であって、前記中空体の回転と共に、前記形象物が動作するものが開示されている（例えば、特許文献１参照）。しかし、前記特許文献１においては、中空体の内部でのみ動作するため、アクションが小さく、玩具としての面白みに欠けるものであった。
【０００３】
【特許文献１】
実公平１−１５４２６号公報
【０００４】
【発明が解決しようとする課題】
本発明は、前記従来の問題点を解決するものであって、中空体外部でアクションを起こすことができる、玩具としての興趣が高まる水上玩具を提供しようとするものである。
【０００５】
【課題を解決するための手段】
本発明は、水面に浮遊させる水上玩具１であって、駆動源と、該駆動源を収容するケース３４と、該ケース３４の孔部３４１より突出すると共に、前記駆動源の動力を伝達する回転軸３３と、該回転軸３３を介して回転され、前記ケース３４を収容する中空体２と、該中空体２の孔部２１より突出すると共に、前記回転軸３３の同一線上に位置するように前記ケース３４から延設される支持軸３５と、該支持軸３５より上方及び下方に延設される保持部４と、該保持部４の上方端部に設けた形象物６と、該保持部４の下方端部に設けた錘部５とからなること（請求項１）を要件とする。更に、前記形象物６が、前記中空体２の回転に伴い可動する可動部６１を有すること（請求項２）、前記駆動源がモーター３１であり、該モーター３１と通電可能に接続されるバッテリー５１が前記錘部５に内蔵されること（請求項３）を要件とする。
【０００６】
本発明の請求項１における水上玩具１は、水面に浮遊させる際、保持部４の上方端部に設けられる形象物６が、保持部４の下方端部に設けられる錘部５によって、中空体２上に安定して保持されるので、前記形象物６が中空体２の回転によりバランスを崩すことなく継続的に同一場所に存在できるものである。
【０００７】
前記「駆動源」とは、本玩具を走行させるための動力源であり、モーター３１やゼンマイ等を用いることにより容易に中空体２を回転させることができる。前記「回転軸」とは、前記駆動源からの出力を中空体２に伝達する軸であり、前記「ケース」とは、前記駆動源を内部に設け、孔部３４１より前記回転軸３３をケース内からケース外へ突出させると共に、支持軸３５を有するものである。前記「中空体」とは、水面に浮遊する際にフロートの役割を果たし、回転軸３３を介して回転する部分であると共に、支持軸３５を中空体２の孔部２１より突出させ、ケース３４を密閉状態に保持し、内部に浸水しないような構造をとるものである。前記中空体２は、玩具全体が水面に浮き、回転できる構成であれば透明又は不透明の合成樹脂、ゴム、フィルム、金属等どのような材質でもよい。形状としては、どのようなものでもよいが、回転した際の抵抗を小さくするため、縦断面が円形状である球状、円柱状、ラグビーボール形状、瓢箪形状等が好ましい。また、中空体２の外面に突起部２２を設けることで、走行速度を上げたり、一定範囲内で円運動させることができる。また、中空体２の外面に塗装等により種々の装飾を施すことで、デザイン性が向上し、玩具としてより興味を引くものとなる。前記中空体２の孔部２１と支持軸３５との間には、中空体２の内部への浸水を防止するために、Ｏリング等を設けることが好ましい。前記「形象物」とは、人形、動物、乗物等の任意の形状をとり、前記中空体２上に保持されるものである。前記「錘部」とは、前記形象物６を中空体２上に保持するようにバランスをとるためのものであり、保持部４を介して前記形象物６の下方に保持される。前記錘部５は、中空体２の浮力や、形象物６の大きさや重量により、該錘部５の重量を変化させて、全体のバランスをとることができる。前記「保持部」とは、支持軸３５より上方及び下方向に延設され、端部に形象物６及び錘部５を保持する部材であり、上方に延設される部分は、中空体２の上方外部に配置され、下方に延設される部分は、中空体２の内部又は中空体２の下方外部に配置される。前記保持部４の両端部を水面に垂直に配置することで、水上玩具１を水面に浮遊させた際に、前記形象物６が水面近傍に傾くことなく中空体２の上部に安定して保持される。
【０００８】
また、前記形象物６に、前記中空体２の回転に伴い可動する可動部６１を形成することで（請求項２）、アクションがより大きくなり、より一層玩具としての面白みが増すものとなる。例えば、前記可動部６１は、中空体２外面に一定の間隔で突起２２を設け、前記中空体２の回転により、前記突起部２２が可動部６１に順次当接する構成や、中空体２内面に一定の間隔で磁性体を設けると共に、前記可動部６１の中空体２側の端部に、金属又は磁性体を設ける構成とすることで容易に可動させることができる。
【０００９】
更に、前記駆動源としてモーター３１等の電力を必要とするものを用いた場合に、前記錘部５にバッテリー５１を内蔵することも可能である（請求項３）。これにより、バッテリー５１が錘部５を兼ねるので、全体の重量を増すことなく形象物６のバランスをとることができる。
【００１０】
【発明の実施の形態】
本発明の実施の形態を図面に基づき説明する。
【００１１】
図１乃至図４に本発明の一実施例を示す。図１は本発明の水上玩具１の正面断面図であり、図２は図１の側面図であり、図３は図１の正面図であり、図４は他の実施例を示す正面図である。
【００１２】
図１乃至図３に示す水上玩具１は、外周面に回転方向に一定間隔で複数の突起部２２が設けられてなる合成樹脂製の球状中空体２の内部に、モーター３１と、該モーター３１の出力を伝達する歯車群３２と、該歯車群３２からの回転が出力され、且つ前記中空体２に固着される回転軸３３と、これらを内蔵するケース３４と、該ケース３４の外面より延設され、且つ回転軸３３と同一線上に設けられる支持軸３５とを密閉状態に備えている。前記支持軸３５は、中空体２の内部より中空体２の孔部２１を貫通し、中空体２の外部に延設される。前記中空体２の孔部２１と支持軸３５との間に生じる隙間には、Ｏリングを設け防水性を高めている。前記支持軸３５の突出側端部より上方及び下方に延設される保持部４の上方向の端部には、２本の脚部（可動部６１）を備える人形（形象物６）が中空体２上側に設けられ、前記人形の略垂直下に位置する保持部４の下方端部には、バッテリー５１を内蔵し、スイッチ５２と、前記バッテリー５１の交換用蓋体５３を備え、防水処理の施された錘部５が設けられる。前記支持軸３５及び保持部４は、中空状に形成されており、内部には、モーター３１とバッテリー５１を接続する導線が内蔵されている。前記脚部は、弾性体により一方向に揺動するように構成されると共に、前記突起部２２に当接する位置に保持されているので、中空体２の回転に伴い、突起部２２が脚部を順次弾く。特にここでは、図３に示すように、突起部２２が回転方向に二列で互い違いに配置されているため、２本の脚部が交互に揺動するので、あたかも玉乗りをしているかのような動作をとる。また、前記突起部２２により、中空体２の回転に伴う水上での推進力を効果的に得ることができる。
【００１３】
図４の実施例は図１の変形例であり、保持部４を中空体２に沿って環状に形成することにより、保持部４の端部が固定されるので、より確実に人形を中空体２上に保持できる。更に、保持部４の強度が増すので、落下等により強い衝撃を受けた際に、保持部４が破損し難くなる。尚、他の構成は図１乃至図３と同様である。
【００１４】
【発明の効果】
本発明は、請求項１により、中空体外部でアクションを起こすことができ、玩具としての興趣が高まる。
【００１５】
請求項２により、形象物のアクションがより大きくなり、より一層玩具としての面白みが増すものとなる。
【００１６】
請求項３により、玩具全体の重量を増すことなく形象物のバランスをとることができる。
【図面の簡単な説明】
【図１】本発明の水上玩具の一実施例を示す正面縦断面図である。
【図２】図１の水上玩具の側面図である。
【図３】図１の水上玩具の正面図である。
【図４】本発明の水上玩具の他の実施例を示す正面図である。
【符号の説明】
１  水上玩具
２  中空体
２１  孔部
２２  突起部
３  回転駆動ユニット
３１  モーター（駆動源）
３２  歯車群
３３  回転軸
３４  ケース
３４１  孔部
３５  支持軸
４  保持部
５  錘部
５１  バッテリー
５２  スイッチ
５３  交換用蓋体
６  形象物
６１  可動部
【図１】
2004230002.tif 000003
【図２】
2004230002.tif 000004
【図３】
2004230002.tif 000005
【図４】
2004230002.tif 000006